(57)【要約】【課題】  設計の自由度が高くて汎用性や転用性に優れるとともに、高い躯体強度を得ることができ、かつ外壁を自由に形成することができて意匠性にも優れる簡易型の構造物を提供する。【解決手段】  複数の方形フレーム２を連結した面フレーム４によって構成され、方形フレーム２は、４本のフレーム材４が方形状に配置され、隣接するフレーム材７が内側壁面１０ａに形成されて端部に開口する溝部１１内に、Ｌ字状部材８の各辺８ａが挿入されるとともに、対角方向に位置するＬ字状部材８間にブレース部材９が架け渡されることにより一体化されてなり、面フレーム４は、複数の方形フレーム７が、縦方向のフレーム材を上下方向の１線上に沿わせて千鳥状に配設され、上下の斜め方向に隣接する方形フレーム２が、それぞれのフレーム材７の外周壁面１０ｂに形成されて端部に開口する溝部１１内に、Ｌ字状部材８の各辺８ａが挿入されることにより連結されてなる。【選択図】  図２
2006299705.tif 000002
【特許請求の範囲】
【請求項１】
少なくとも１側面が、複数の方形フレームを連結した面フレームによって構成された構造物であって、
上記方形フレームは、４本のフレーム材が方形状に配置され、隣接する上記フレーム材がそれぞれの内側に位置する壁面に形成されて端部に開口する溝部内に、Ｌ字状部材の各辺が挿入されるとともに、対角方向に位置する少なくとも一対の上記Ｌ字状部材間にブレース部材が架け渡されることにより一体化されてなり、
上記面フレームは、複数の上記方形フレームが、少なくとも縦方向の上記フレーム材を上下方向の１線上に沿わせて千鳥状に配設され、上下の斜め方向に隣接する上記方形フレームが、それぞれの上記フレーム材の外側に位置する壁面に形成されて端部に開口する溝部内に、Ｌ字状部材の各辺が挿入されることにより連結されてなることを特徴とする構造物。
【請求項２】
少なくとも３側面が上記面フレームによって構成されるとともに、そのうちの少なくとも１側面を構成する上記面フレームは、上記方形フレームが、上記ブレース部材が当該面フレームの上下辺まで連続するように配置されていることを特徴とする請求項１に記載の構造物。
【請求項３】
上記方形フレームは、長さ寸法の等しい上記フレーム材によって、正方形に形成されていることを特徴とする請求項１または２に記載の構造物。
【請求項４】
上記方形フレームは、アルミニウムまたはアルミニウム合金の押出材によって成形された中空部を有する断面方形状の部材であり、かつその側面に、長手方向に貫通する上記溝部が形成されていることを特徴とする請求項１ないし３のいずれかに記載の構造物。
【請求項５】
上記Ｌ字状部材は、上記ブレース部材の端部が挿通される挿通孔が穿設されるとともに、上記ブレース部材は、上記挿通孔に挿入されて、当該挿通孔から延出した端部にナットが螺合されることにより、上記Ｌ字状部材間に着脱自在に架け渡されていることを特徴とする請求項１ないし４のいずれかに記載の構造物。
【発明の詳細な説明】
【技術分野】
【０００１】
本発明は、ガレージや物置用等として余剰スペースに設置可能な簡易型の構造物に関するものである。
【背景技術】
【０００２】
近年、庭や空き地等の余剰スペースを活用して、ガレージ、物置あるいは個人用の部屋等として利用するための各種の簡易型の構造物が開発されている。
【０００３】
例えば、下記特許文献１には、この種の簡易型の構造物として、一対の柱の上端を梁で連結することにより門型のフレームを製作し、この門型フレームを対向配置してブレースで連結するとともに、上記梁間を屋根材で覆ったものが提案されている。
【０００４】
ところで、上記従来の簡易組立式の構造物にあっては、柱と梁とが連結された門型フレームとブレースとによって構造躯体が構成されているために、設置面積によって、予め上記柱の高さや梁の長さを決定してしまう必要があり、汎用性や他のスペースへの転用性に劣るという欠点がある。
【０００５】
また、４方の柱によって構造物を支える構成であるために、特に梁の長さ寸法が大きくなった場合に、構造物としての強度に劣るという欠点もある。
加えて、上記柱間隔が大きくなると、外壁を形成するために別途間柱を設ける必要があるが、ブレースで連結している柱間には当該外壁を形成することが難しく、このため部屋や物置等の周囲が塞がれた建屋として利用することが困難であるという問題点もある。
【特許文献１】特開２００２−４４２６公報
【発明の開示】
【発明が解決しようとする課題】
【０００６】
本発明は、かかる事情に鑑みてなされたもので、設計の自由度が高く、かつ汎用性や転用性に優れるとともに、高い躯体強度を得ることができ、しかも外壁を自由に形成することができて意匠性にも優れる簡易型の構造物を提供することを課題とするものである。
【課題を解決するための手段】
【０００７】
上記課題を解決するために、請求項１に記載の発明は、少なくとも１側面が、複数の方形フレームを連結した面フレームによって構成された構造物であって、上記方形フレームは、４本のフレーム材が方形状に配置され、隣接する上記フレーム材がそれぞれの内側に位置する壁面に形成されて端部に開口する溝部内に、Ｌ字状部材の各辺が挿入されるとともに、対角方向に位置する少なくとも一対の上記Ｌ字状部材間にブレース部材が架け渡されることにより一体化されてなり、上記面フレームは、複数の上記方形フレームが、少なくとも縦方向の上記フレーム材を上下方向の１線上に沿わせて千鳥状に配設され、上下の斜め方向に隣接する上記方形フレームが、それぞれの上記フレーム材の外側に位置する壁面に形成されて端部に開口する溝部内に、Ｌ字状部材の各辺が挿入されることにより連結されてなることを特徴とするものである。
【０００８】
ここで、請求項２に記載の発明は、請求項１に記載の発明において、少なくとも３側面が上記面フレームによって構成されるとともに、そのうちの少なくとも１側面を構成する上記面フレームは、上記方形フレームが、上記ブレース部材が当該面フレームの上下辺まで連続するように配置されていることを特徴とするものである。
【０００９】
また、請求項３に記載の発明は、請求項１または２に記載の方形フレームが、長さ寸法の等しい上記フレーム材によって、正方形に形成されていることを特徴とするものである。
【００１０】
さらに、請求項４に記載の発明は、請求項１〜３のいずれかに記載の発明において、上記方形フレームが、アルミニウムまたはアルミニウム合金の押出材によって成形された中空部を有する断面方形状の部材であり、かつその側面に、長手方向に貫通する上記溝部が形成されていることを特徴とするものである。
【００１１】
また、請求項５に記載の発明は、請求項１〜４のいずれかに記載の発明において、上記Ｌ字状部材に、上記ブレース部材の端部が挿通される挿通孔が穿設されるとともに、上記ブレース部材が、上記挿通孔に挿入されて、当該挿通孔から延出した端部にナットが螺合されることにより、上記Ｌ字状部材間に着脱自在に架け渡されていることを特徴とするものである。
【発明の効果】
【００１２】
請求項１〜５のいずれかに記載の本発明に係る構造物によれば、当該構造物の側面を、複数の方形フレームを連結した面フレームによって構成しているために、上記方形フレームの数を適宜選択することにより、様々な寸法の躯体を形成することができる。このため、設置するスペースの面積に応じた自由な設計を行うことができる。
【００１３】
また、使用後は、個々の方形フレームを別途用途に転用することが可能となるために汎用性や転用性にも優れる。しかも、４本のフレーム材は、その内側壁面に形成された溝部内にＬ字状部材の各辺を挿入することにより一体化できるために、容易に組み立てや解体を行うことができる。
【００１４】
加えて、複数の方形フレームを、少なくとも縦方向のフレーム材を上下方向の１線上に沿わせて千鳥状に配設している結果、上記縦方向のフレーム材によって多数本の柱が構成されるため、高い躯体強度を得ることができる。
さらに、個々の方形フレームに壁材やガラス窓等を設置することができるために、様々な外壁を形成することができ、意匠性にも優れる。
【００１５】
また、請求項２に記載の発明によれば、出入り口を設ける１側面を除いた他の３側面を上記面フレームによって構成すれば、より一層上記効果を高めることができるとともに、上記ブレース部材が面フレームの上下辺まで連続するように方形フレームを配置すれば、一段と高い躯体強度を得ることができて好適である。
【００１６】
なお、方形フレームは、長方形であってもよいが、特に、請求項３に記載の発明のように、フレーム材として長さ寸法の等しいものを用いて上記方形フレームを構成すれば、汎用性が一層高まる。しかも、容易に一般的な建物における坪数に対応した広さの構造物を得ることができる。
【００１７】
また、フレーム材として、請求項４に記載の発明のように、アルミニウムまたはアルミニウム合金の押出材によって成形された中空部を有する断面方形状の部材を用いれば、軽量化を図ることができ、施工が容易になる。
【００１８】
さらに、請求項５に記載の発明においては、ブレース部材をＬ字状部材に穿設した挿通に挿入して、外部からナットを螺合することにより当該Ｌ字状部材間に着脱自在に架け渡しているので解体が容易になる。
【発明を実施するための最良の形態】
【００１９】
図１〜図７は、本発明に係る簡易型の構造物の一実施形態を示すものである。
この構造物は、４側面と天井面とが、それぞれ複数の方形フレームを連結した面フレームによって構成されている。
すなわち、出入口の扉１が設けられた正面は、この扉１と３組の方形フレーム２とからなる面フレーム３によって構成され、左右の側面（図において現れない左側側面は、図示されている右側側面と同一構成である）は、５組の方形フレーム２からなる面フレーム４、また図において現れない背面側は、４組の方形フレーム２からなる面フレームによって構成されている。また、天井面は、５組の方形フレーム２、５からなる面フレーム６によって構成されている。
【００２０】
ここで、方形フレーム２、５は、１辺の長さ寸法が略１ｍの正方形に形成された枠状の部材であり、等長さ寸法を有する４本のフレーム材７、Ｌ字状部材８およびブレース部材９によって概略構成されたものである。
【００２１】
図４は、上記フレーム材７を示すものである。
このフレーム材７は、アルミニウム合金を押出成形して、約１ｍの長さ寸法に切断することによって形成されたもので、外周の４壁面１０の中央部に、溝部１１が形成されるとともに、この溝部１１を形成する内壁１２と中心部の円筒状の芯部１３とが一体化されることにより、内部には中空部が形成されている。
【００２２】
ここで、溝部１１は、内部よりも壁面１０における開口部１１ａが幅狭に形成されることにより略Ｔ字状をなしており、フレーム材７の全長にわたって形成され、両端が長手方向に開口している。また、このフレーム材７の両端近傍には、溝部１１の内壁１２の幅寸法をほぼ等しい内径を有する貫通孔１４が穿設されている。
【００２３】
また、Ｌ字状部材８は、上記フレーム材７を連結するための部材で、図５に示すように、直角に延びる２本の辺部８ａが、それぞれ上記溝部１１よりも僅かに小さい略相似形の断面Ｔ字状に形成されるとともに、この辺部８ａの上記貫通孔１４に対応する位置には、孔部１５が穿設されている。また、これら辺部８ａの交差部８ｂは、当該辺部８ａよりも肉厚に形成され、かつ厚さ方向に貫通するねじ孔１６が形成されている。
【００２４】
さらに、このＬ字状部材８の角隅部には、交差部８ｂと等しい厚さ寸法を有するブラケット部８ｃが辺部８ａおよび交差部８ｂと一体に形成され、このブラケット部８ｃにも、厚さ方向に貫通するねじ孔１７が形成されている。また、Ｌ字状部材８には、両辺部８ａに対して４５度の傾斜角度でブラケット部８ｃと交差部８ｂとを貫通するブレース部材９の挿通孔１８が穿設されている。
【００２５】
そして、図２、図３、図６および図７に示すように、フレーム材７が互いの内側の縁部を近接させて正方形に配置され、Ｌ字状部材８の各々の辺部８ａが、角隅部において隣接するフレーム材７の溝部１１（方形フレーム２、５の内側に位置する壁面１０ａに形成された溝部１１）に挿入されることにより、フレーム材７が正方形の枠状に組み立てられている。そしてさらに、これらフレーム材７とＬ字状部材８との連結を固定するために、フレーム材７の貫通孔１４内に連結金具である丸ナット１９が挿入され、Ｌ字状部材８の孔部１５側から皿ボルト２０が螺合されている。
【００２６】
このようにして正方形状に組み立てられた方形フレーム２、５の対角方向に、前記ブレース部材９が架け渡されている。ここで、方形フレーム２においては、フレーム材７の２組の相対する角隅部間にそれぞれブレース部材９が設けられ、方形フレーム５においては、一方の相対する角隅部間にのみブレース部材９が設けられている。
【００２７】
このブレース部材９は、両端に雄ねじ部９ａが形成された丸鋼であり、一方の端部がＬ字状部材８に形成された挿通孔１８に挿通され、当該Ｌ字状部材８から延出したねじ部９ａにナット２１が螺合されている。そして、ブレース部材２０は、その他端部が、２本あるいは４本のブレース部材９を連結するための連結金物２２に螺合されることにより、対角方向のＬ字状部材８間に架設されている。
【００２８】
そして、構造物の左右の側面を構成する面フレーム４においては、上下２組の方形フレーム２と中央部の方形フレーム２とが、互いの縦横方向のフレーム材７を上下左右方向に１直線上に位置させて千鳥状に配設されている。そして、上下の斜め方向に隣接する方形フレーム２同士が、それぞれのフレーム材７の外側に位置する壁面１０ｂに形成されている溝部１１内に、同様にＬ字状部材８の各辺８ａが挿入され、貫通孔１４内に挿入された丸ナット１９とＬ字状部材８の孔部１５側から螺合された皿ボルト２０によって連結されている。
【００２９】
これにより、面フレーム４の対角方向には、方形フレーム２のブレース部材９が連続して配置されている。
また、これら面フレーム４と隣接する正面の面フレーム３および背面側の面フレームは、面フレーム４を構成する方形フレーム２と千鳥状になるように、方形フレーム２が上下の中央部（面フレーム３においては扉１により上部の中央部のみ）および中段の左右に配置されている。
【００３０】
また、天井面を構成する面フレーム６においては、その角隅部に、面フレーム４の方形フレーム２に代えて方形フレーム５が、当該面フレーム６の対角方向にブレース部材９が連続するように配置されている。そして、この面フレーム６が、側面を構成する面フレーム３，４の上部に載置されて連結されている。
【００３１】
なお、各々の面フレーム２、４、６等において、方形フレーム２、５の連結角隅部には、フレーム材７間を塞ぐ正方形状の塞ぎ板２５が配設されている。ここで、塞ぎ板２５は、４角隅部にそれぞれ孔部２６が穿設されており、これら孔部２６に挿入されたボルト２７が、Ｌ字状部材８の交差部８ｂに形成されているねじ孔１６に螺合されることにより、Ｌ字状部材８に取り付けられている。
【００３２】
以上のようにして構成された構造物の躯体には、各々の方形フレーム２、５やこれらによって画成される間の空間に、ガラスやボード等からなる外壁３１や天板３３が取り付けられている。
すなわち、図６および図７に示すように、各々の方形フレーム２、５の内側角隅部および外側角隅部には、それぞれフレーム材７を連結したＬ字状部材８のブラケット部８ｃが位置している。
【００３３】
そして、このブラケット部８ｃに形成されたねじ孔１７に、ボルト２８によって、外壁取付ステー２９の一端部が固定されている。さらに、この外壁取付ステー２９の他端部にはカラー３０が配設され、このカラー３０上に上記外壁３１や天板３３の４角隅部が載置されるとともに、皿ボルト３２によって外壁取付ステー２９に固定されている。
【００３４】
また、隣接する方形フレーム２、５間の空間においても、必要に応じてブレース部材９が、上記方形フレーム２同士を連結するＬ字状部材８の挿通孔１８に挿通されることにより取り付けられている。
【００３５】
なお、この構造物において、別途断熱材や防音材を取り付ける必要がある場合には、外壁取付ステー２９と同一の形状の内壁取付ステーを用意し、上記外壁３１と同様にして、構造物の内側に上記断熱材や防音材を張付け、Ｌ字状部材８のブラケット部８ｃに形成されたねじ孔１７にボルトによって上記内壁取付ステーを固定し、この内壁取付ステーの他端部にカラーを配設して、上記断熱材や防音材を覆う内壁を上記内壁取付ステーに固定することができる。
【００３６】
このように、上記構成からなる構造物によれば、その４側面および天井面を、複数の方形フレーム２、５を連結した面フレーム３、４、６によって構成するとともに、これらをボルト等によって着脱自在に連結して組み立てているため、方形フレーム２、５の数を適宜選択することにより、様々な寸法の躯体を形成することができ、よって設置するスペースの面積に応じた自由な設計を行うことができる。
【００３７】
また、その組み立ておよび解体が極めて容易であるとともに、使用後は、個々の方形フレーム２、５を別途用途に転用することが可能となるために汎用性や転用性にも優れる。
しかも、複数の方形フレーム２、５を、互いに縦横方向のフレーム材７を一直線上に沿わせて千鳥状に配設しているため、縦横方向のフレーム材７によって多数本の柱および梁が構成されるため、高い躯体強度を得ることができる。
【００３８】
さらに、Ｌ字状部材８にブラケット部８ｃを設け、このブラケット部８ｃにねじ孔１７を穿設しているので、当該ねじ孔１７に取り付けた外壁取付ステー２９や、同様の構成を有する内壁取付ステーを利用して、個々の方形フレーム２、５ごとに外壁３１、天板３３あるいは内壁等を設置することができ、よって様々な外壁３１を形成したり、あるいは別途断熱材や防音材を施工したりすることができ、意匠性や居住性にも優れる。
【図面の簡単な説明】
【００３９】
【図１】本発明の構造物の一実施形態を示す全体の斜視図である。
【図２】図１の方形フレームを示す正面図である。
【図３】図２の側面図である。
【図４】図１のフレーム材を示す図で、（ａ）は縦断面図、（ｂ）は中間部を省略した正面図である。
【図５】上記フレーム材を連結するＬ字状部材を示すもので、（ａ）は正面図、（ｂ）は側面図、（ｃ）は（ａ）のＣ線視断面図、（ｄ）は（ａ）のｄ矢視図である。
【図６】図２の方形フレームの接続部分を示す要部を断面視した正面図である。
【図７】図６の側断面図である。
【符号の説明】
【００４０】
２、５  方形フレーム
３、４、６  面フレーム
７  フレーム材
８  Ｌ字状部材
８ａ  辺部
９  ブレース部材
９ａ  雄ねじ部
１０  壁面
１０ａ  内側に位置する壁面
１０ｂ  外側に位置する壁面
１１  溝部
１８  ブレース部材の挿通孔
２１  ナット
【図１】
2006299705.tif 000003
【図２】
2006299705.tif 000004
【図３】
2006299705.tif 000005
【図４】
2006299705.tif 000006
【図５】
2006299705.tif 000007
【図６】
2006299705.tif 000008
【図７】
2006299705.tif 000009